(57)【要約】【課題】本明細書で説明された例示実施形態は、干渉管理リソース（ＩＭＲ）及び／またはチャネル状態情報参照信号（ＣＳＩ−ＲＳ）リソースを用いて、基地局（ＢＳ）群が時間及び時間周波数内でパイロット信号を構成できるシステム及び方法を提供する。【解決手段】携帯電話やラップトップ等のユーザ機器（ＵＥ）は、実際のデータ送信中に発生する特定のチャネル条件及び干渉条件に対応する、特定の予想チャネル品質情報（ＣＱＩ）を測定することができる。これらの値を用いることにより、例示実施形態では、基地局群が、別の一連のチャネル条件及び干渉条件に対応する他の予想ＣＱＩを推定できる補間アルゴリズムを用いる。【選択図】図１（ａ）
2013236369.tif 000002
【特許請求の範囲】
【請求項１】
基地局であって、
前記基地局がサービング基地局として動作している時に、ユーザ機器（ＵＥ）のうちの少なくとも１つに対する少なくとも１つの協働基地局の下限ＣＱＩ値と前記各ＵＥについて前記基地局の上限ＣＱＩ値とに基づいて、マルチポイント協調送受信（ＣｏＭＰ）方式のための複数のチャネル品質情報（ＣＱＩ）値を、前記基地局に対応付けられた前記ＵＥ毎に決定する中央処理装置（ＣＰＵ）と、
前記基地局と前記各ＵＥとの間の送受信を処理するフロントエンドと、
を備えた基地局。
【請求項２】
前記基地局が前記サービング基地局として動作している時に、前記ＣＰＵをさらに、
前記ＵＥのうちの前記少なくとも１つに対し、前記少なくとも１つの協働基地局のうちの基地局で、前記少なくとも１つの協働基地局のうちの第１の基地局より大きい信号強度を有する基地局の送信動作を行わせないようにする複数の第１の命令を送信し、
前記少なくとも１つの協働基地局のうちの残りの協働基地局がチャネル状態情報参照信号（ＣＳＩ−ＲＳ）を送信するように命令する複数の第２の命令を送信し、
前記ＵＥのうちの前記少なくとも１つに対し、前記少なくとも１つの協働基地局のうちの第１の基地局の前記下限ＣＱＩ値として、前記ＵＥのうちの前記少なくとも１つのＣＱＩ値を決定するように構成する、
請求項１に記載の基地局。
【請求項３】
前記ＣＰＵを、前記少なくとも１つの協働基地局のうちの全ての基地局について、前記各ＵＥ毎に１つの下限ＣＱＩ値を決定するように構成し、
前記ＣＰＵをさらに、前記各ＵＥ毎に１つの上限ＣＱＩ値を決定するように構成する、請求項１に記載の基地局。
【請求項４】
前記基地局が前記サービング基地局として動作している時に、前記ＣＰＵをさらに、
前記少なくとも１つの協働基地局のうちの全基地局の送信動作を行わせないようにする複数の第１の命令を送信し、
チャネル状態情報参照信号（ＣＳＩ−ＲＳ）を送信し、
前記各ＵＥについて、前記各ＵＥのＣＱＩ値を前記基地局の前記上限ＣＱＩ値として決定するように構成する、
請求項１に記載の基地局。
【請求項５】
前記基地局が前記サービング基地局として動作している時に、前記ＣＰＵをさらに、前記各ＵＥについて前記基地局の、重みで調整される前記上限を用いて前記少なくとも１つの協働基地局の前記基地局毎に上限を設定するように構成し、前記重みは、前記少なくとも１つの協働基地局のうちの前記各基地局の無線リソース管理（ＲＲＭ）測定に基づいており、
前記ＣＰＵをさらに、前記各ＵＥについて、前記少なくとも協働基地局のうちの各基地局の前記決定された上限に基づいて、ＣｏＭＰ方式を選択するように構成する、
請求項４に記載の基地局。
【請求項６】
無線リソース管理（ＲＲＭ）測定に基づいて、前記ＣＰＵをさらに、前記基地局が前記サービング基地局として動作するのか、あるいは前記各ＵＥの協働基地局として動作するのかを決定するように構成する、
請求項１に記載の基地局。
【請求項７】
前記基地局が協働基地局として動作している時に、前記ＣＰＵをさらに、チャネル状態情報参照信号（ＣＳＩ−ＲＳ）を送信するためのスケジュール、又は前記少なくとも１つの協働基地局がＣＳＩ−ＲＳを送信する時に送信動作を行わせないようにするためのスケジュールを処理するように構成する、
請求項１に記載の基地局。
【請求項８】
前記基地局が前記サービング基地局として動作している時に、
前記ＵＥのうちの前記少なくとも１つについて、前記少なくとも１つの協働基地局のうちの基地局で、前記少なくとも１つの協働基地局のうちの第１の基地局より大きい信号強度を有する基地局の送信動作を行わせないようにする複数の第１の命令を送信し、
前記少なくとも１つの協働基地局のうちの残りの協働基地局がパイロット信号を送信するように命令する複数の第２の命令を送信し、
前記パイロット信号に基づいて、前記ＵＥのうちの前記少なくとも１つについて、前記少なくとも１つの協働基地局のうちの第１の基地局の下限ＣＱＩ値を受信する、
請求項１に記載の基地局。
【請求項９】
前記基地局が前記サービング基地局として動作している時で、かつ前記パイロット信号のリソースエレメントがＩＭＲである時に、前記ＣＰＵをさらに、
前記サービング基地局が前記リソースエレメントの送信動作を行わないようにし、
前記少なくとも１つの協働基地局のうちの残りの協働基地局が前記リソースエレメントのデータ信号を送信するように命令する複数の第３の命令を送信するように構成する、
請求項８に記載の基地局。
【請求項１０】
前記基地局が前記サービング基地局として動作している時で、かつ前記パイロット信号のリソースエレメントがチャネル状態情報参照信号（ＣＳＩ−ＲＳ）である時は、前記ＣＰＵをさらに、
前記少なくとも１つの協働基地局のうちの全基地局の送信動作を行わせないようにする複数の第４の命令を送信し、
前記チャネル状態情報参照信号（ＣＳＩ−ＲＳ）を送信し、
前記各ＵＥについて、前記各ＵＥのＣＱＩ値を前記基地局の前記上限ＣＱＩ値として決定するように構成する、
請求項８に記載の基地局。
【請求項１１】
前記基地局が協働基地局として動作している時に、前記ＣＰＵをさらに、チャネル状態情報参照信号（ＣＳＩ−ＲＳ）とデータ信号のうち１つを送信するためのスケジュール、又は前記少なくとも１つの協働基地局が前記ＣＳＩ−ＲＳと前記データ信号のうち１つを送信する時に送信動作を行わせないようにするためのスケジュールを処理するように構成する、
請求項８に記載の基地局。
【請求項１２】
基地局を動作させるための命令を保存する非一時的コンピュータ読取り可能媒体であって、前記命令は、
前記基地局がサービング基地局として動作している時に、少なくともユーザ機器（ＵＥ）の１つについては、少なくとも１つの協働基地局の下限ＣＱＩ値に、また前記各ＵＥについては前記基地局の上限ＣＱＩ値に基づいて、前記基地局に対応付けられた前記ＵＥ毎にマルチポイント協調送受信（ＣｏＭＰ）方式のための複数のチャネル品質情報（ＣＱＩ）値を決定し、
前記基地局と前記各ＵＥとの間の送受信を処理する、
コンピュータ読取り可能媒体。
【請求項１３】
前記基地局が前記サービング基地局として動作している時に、前記ＵＥのうちの前記少なくとも１つについて、前記少なくとも１つの協働基地局のうちの第１の基地局の前記下限を決定する命令をさらに備え、前記命令は、
前記ＵＥのうちの前記少なくとも１つについて、前記少なくとも１つの協働基地局のうちの基地局で、前記少なくとも１つの協働基地局のうちの第１の基地局より大きい信号強度を有する基地局の送信動作を行わせないようにする複数の第１の命令を送信し、
前記少なくとも１つの協働基地局のうちの残りの協働基地局がチャネル状態情報参照信号（ＣＳＩ−ＲＳ）を送信するように命令する複数の第２の命令を送信し、
前記ＵＥのうちの前記少なくとも１つについて、前記ＵＥのうちの前記少なくとも１つのＣＱＩ値を前記少なくとも１つの協働基地局のうちの第１の基地局の前記下限ＣＱＩ値として決定する、
請求項１２に記載の非一時的コンピュータ読取り可能媒体。
【請求項１４】
前記基地局が前記サービング基地局として動作している時に、前記各ＵＥについて、前記基地局の前記上限ＣＱＩ値を決定する複数の命令をさらに備え、前記命令は、
前記少なくとも１つの協働基地局のうちの全基地局の送信動作を行わせないようにする複数の第１の命令を送信し、
チャネル状態情報参照信号（ＣＳＩ−ＲＳ）を送信し、
前記基地局に対応付けられた前記各ＵＥについて、前記各ＵＥのＣＱＩ値を前記基地局の前記上限ＣＱＩ値として決定する、
請求項１２に記載の非一時的コンピュータ読取り可能媒体。
【請求項１５】
前記基地局が前記サービング基地局として動作している時に、前記各ＵＥについて、前記少なくとも１つの協働基地局の各基地局の前記上限を決定する複数の命令をさらに備え、前記命令は、
前記各ＵＥについて前記基地局の、重みで調整される前記上限を用いて前記少なくとも１つの協働基地局のうちの前記各基地局について前記上限を設定し、前記重みは、前記少なくとも１つの協働基地局のうちの前記各基地局の無線リソース管理（ＲＲＭ）測定に基づいており、
前記非一時的コンピュータ読取り可能媒体は、前記各ＵＥについて、前記少なくとも協働基地局のうちの各基地局の前記決定された上限に基づいて、ＣｏＭＰ方式を選択する複数の命令をさらに備える、
請求項１２に記載の非一時的コンピュータ読取り可能媒体。
【請求項１６】
無線リソース管理（ＲＲＭ）測定に基づいて、前記基地局が前記サービング基地局として動作するのか、あるいは前記各ＵＥの協働基地局として動作するのかを決定する複数の命令をさらに備える、
請求項１２に記載の非一時的コンピュータ読取り可能媒体。
【請求項１７】
前記基地局が協働基地局として動作している時に、チャネル状態情報参照信号（ＣＳＩ−ＲＳ）を送信するためのスケジュール、又は前記少なくとも１つの協働基地局がＣＳＩ−ＲＳを送信する時に送信動作を行わせないようにするためのスケジュールを処理する複数の命令をさらに備える、
請求項１２に記載の非一時的コンピュータ読取り可能媒体。
【請求項１８】
前記基地局が前記サービング基地局として動作している時に、
前記ＵＥのうちの前記少なくとも１つについて、前記少なくとも１つの協働基地局のうちの基地局で、前記少なくとも１つの協働基地局のうちの第１の基地局より大きい信号強度を有する基地局の送信動作を行わせないようにする複数の第１の命令を送信し、
前記少なくとも１つの協働基地局のうちの残りの協働基地局がパイロット信号を送信するように命令する複数の第２の命令を送信し、
前記ＵＥのうちの前記少なくとも１つについて、前記パイロット信号に基づいて前記少なくとも１つの協働基地局のうちの第１の基地局の下限ＣＱＩ値を受信することをさらに備える、
請求項１２に記載の非一時的コンピュータ読取り可能媒体。
【請求項１９】
前記基地局が前記サービング基地局として動作している時で、かつ前記パイロット信号のリソースエレメントがＩＭＲである時に、前記ＵＥのうちの前記少なくとも１つについて、前記少なくとも１つの協働基地局のうちの第１の基地局の前記下限を決定する複数の命令をさらに備え、
前記命令は、
前記サービング基地局が前記リソースエレメントの送信動作を行わないようにし、
前記少なくとも１つの協働基地局のうちの残りの協働基地局が前記リソースエレメントのデータ信号を送信するように命令する複数の第３の命令を送信する、
請求項１８に記載の非一時的コンピュータ読取り可能媒体。
【請求項２０】
前記基地局が前記サービング基地局として動作している時で、かつ前記パイロット信号のリソースエレメントがチャネル状態情報参照信号（ＣＳＩ−ＲＳ）である時に、前記各ＵＥについて、前記基地局の前記上限ＣＱＩ値を決定する複数の命令をさらに備え、前記命令は、
前記少なくとも１つの協働基地局のうちの全基地局の送信動作を行わせないようにする複数の第４の命令を送信し、
前記チャネル状態情報参照信号（ＣＳＩ−ＲＳ）を送信し、
前記基地局に対応付けられた前記各ＵＥについて、前記各ＵＥのＣＱＩ値を前記基地局の前記上限ＣＱＩ値として決定する、
請求項１８に記載の非一時的コンピュータ読取り可能媒体。
【請求項２１】
前記基地局が協働基地局として動作している時に、チャネル状態情報参照信号（ＣＳＩ−ＲＳ）とデータ信号のうち１つを送信するためのスケジュール、又は前記少なくとも１つの協働基地局が前記ＣＳＩ−ＲＳと前記データ信号のうち１つを送信する時に送信動作を行わせないようにするためのスケジュールを処理する複数の命令をさらに備える、
請求項１８に記載の非一時的コンピュータ読取り可能媒体。
【請求項２２】
基地局とサービング基地局に対応付けられた各ユーザ機器（ＵＥ）との間の送受信を処理するフロントエンドを含む前記サービング基地局と、少なくとも１つの協働基地局とを備えるシステムであって、
前記基地局が前記サービング基地局として動作している時に、少なくとも前記ＵＥの１つについて、前記少なくとも１つの協働基地局の下限ＣＱＩ値及び前記各ＵＥについて前記基地局の上限ＣＱＩ値に基づいて、前記サービング基地局が、前記基地局に対応付けられた前記各ＵＥについて、マルチポイント協調送受信（ＣｏＭＰ）方式のための複数のチャネル品質情報（ＣＱＩ）値を決定するように構成された、
システム。
【請求項２３】
前記サービング基地局をさらに、
前記ＵＥのうちの前記少なくとも１つについて、前記少なくとも１つの協働基地局のうちの基地局で、前記少なくとも１つの協働基地局のうちの第１の基地局より大きい信号強度を有する基地局の送信動作を行わせないようにする複数の第１の命令を送信し、
前記少なくとも１つの協働基地局のうちの残りの協働基地局がチャネル状態情報参照信号（ＣＳＩ−ＲＳ）を送信するように命令する複数の第２の命令を送信し、
前記ＵＥのうちの前記少なくとも１つについて、前記少なくとも１つの協働基地局のうちの第１の基地局の前記下限ＣＱＩ値として、前記ＵＥのうちの前記少なくとも１つのＣＱＩ値を決定するように構成する、
請求項２２に記載のシステム。
【請求項２４】
前記ＵＥのうちの前記少なくとも１つについて、前記少なくとも１つの協働基地局のうちの第１の基地局の前記下限ＣＱＩ値を決定する前記ステップは、Ｈは前記少なくとも１つの協働基地局のうちの第１の基地局のチャネルマトリックスであり、Ｓは前記送信されたＣＳＩ−ＲＳであり、Ｉは前記少なくとも１つの協働基地局のうちの残りの協働基地局による干渉であり、Ｎは雑音である式
【数１】
2013236369.tif 000045
に基づいている、
請求項２３に記載のシステム。
【請求項２５】
前記サービング基地局をさらに、
前記少なくとも１つの協働基地局のうちの全基地局の送信動作を行わせないようにする複数の第１の命令を送信し、
チャネル状態情報参照信号（ＣＳＩ−ＲＳ）を送信し、
前記各ＵＥについて、前記各ＵＥのＣＱＩ値を前記サービング基地局の前記上限ＣＱＩ値として決定するように構成する、
請求項２２に記載のシステム
【請求項２６】
前記サービング基地局をさらに、
前記各ＵＥについて前記サービング基地局の、重みで調整される前記上限を用いて前記少なくとも１つの協働基地局の前記基地局毎に上限を設定するように構成し、前記重みは、前記少なくとも１つの協働基地局のうちの前記各基地局の無線リソース管理（ＲＲＭ）測定に基づいており、
前記サービング基地局をさらに、前記少なくとも１つの協働基地局の各基地局の前記決定された上限に基づいて、前記各ＵＥについて、ＣｏＭＰ方式を選択するように構成する、
請求項２２に記載のシステム。
【請求項２７】
前記サービング基地局をさらに、無線リソース管理（ＲＲＭ）測定に基づいて、前記サービング基地局が前記サービング基地局として動作するのか、あるいは各ＵＥに対し協働基地局として動作するのかを決定するように構成する、
請求項２２に記載のシステム。
【請求項２８】
前記少なくとも１つの協働基地局をさらに、チャネル状態情報参照信号（ＣＳＩ−ＲＳ）を送信するためのスケジュール、又は前記少なくとも１つの協働基地局がＣＳＩ−ＲＳを送信する時に送信動作を行わせないようにするためのスケジュールを処理するように構成する、
請求項２２に記載のシステム。
【請求項２９】
前記サービング基地局を、
前記ＵＥのうちの前記少なくとも１つについて、前記少なくとも１つの協働基地局のうちの基地局で、前記少なくとも１つの協働基地局のうちの第１の基地局より大きい信号強度を有する基地局の送信動作を行わせないようにする複数の第１の命令を送信し、
前記少なくとも１つの協働基地局のうちの残りの協働基地局がパイロット信号を送信するように命令する複数の第２の命令を送信し、
前記パイロット信号に基づいて、前記ＵＥのうちの前記少なくとも１つについて、前記少なくとも１つの協働基地局のうちの第１の基地局の下限ＣＱＩ値を受信するように構成する、
請求項２２に記載のシステム。
【請求項３０】
前記パイロット信号のリソースエレメントがＩＭＲである時は、前記サービング基地局をさらに、
前記サービング基地局が前記リソースエレメントの送信動作を行わないようにし、
前記少なくとも１つの協働基地局のうちの残りの協働基地局が前記リソースエレメントのデータ信号を送信するように命令する複数の第３の命令を送信するように構成する、
請求項２９に記載のシステム。
【請求項３１】
前記ＵＥのうちの前記少なくとも１つについて、前記少なくとも１つの協働基地局のうちの第１の基地局の前記下限ＣＱＩ値を決定する前記ステップは、Ｈは前記少なくとも１つの協働基地局のうちの第１の基地局のチャネルマトリックスであり、Ｓは前記送信されたパイロット信号であり、Ｉは前記少なくとも１つの協働基地局のうちの残りの協働基地局による干渉であり、Ｎは雑音である式
【数２】
2013236369.tif 000046
に基づいている、
請求項３０に記載のシステム。
【請求項３２】
前記パイロット信号のリソースエレメントがチャネル状態情報参照信号（ＣＳＩ−ＲＳ）である時は、前記サービング基地局をさらに、
前記少なくとも１つの協働基地局のうちの全基地局の送信動作を行わせないようにする複数の第４の命令を送信し、
前記チャネル状態情報参照信号（ＣＳＩ−ＲＳ）を送信し、
前記各ＵＥについて、前記各ＵＥのＣＱＩ値を前記サービング基地局の前記上限ＣＱＩ値として決定するように構成する、
請求項２９に記載のシステム。
【発明の詳細な説明】
【技術分野】
【０００１】
例示実施形態は一般に通信ネットワークに係り、特に詳しくは、サービング基地局と協働基地局とを備える無線通信ネットワークに関する。
【背景技術】
【０００２】
関連出願の相互参照
本米国特許出願は、２０１２年５月１０日出願の米国特許出願第１３／４６８３１６の一部継続出願であり、この特許出願はすべて、本明細書に参照として組み込まれている。
【０００３】
マルチポイント協調送受信（ＣｏＭＰ）技術を用いることにより、基地局（ＢＳ）群は、ユーザ機器（ＵＥ）に潜在的に送信することが可能となる。任意のＵＥに潜在的に送信可能な基地局群は、この任意のＵＥのＣｏＭＰ協調集合として知られている。実際の送信中、協調集合内の１以上のこれらのＢＳは任意のＵＥに送信することができる。協調集合内のその他のＢＳは休止状態（例えば、送信を行っていない状態）であるか、他のＵＥに送信を行っていて、このことがこの任意のＵＥへの干渉となる場合がある。各ＢＳの状態（例えば、送信を行っている状態や送信を行っていない状態）は時間の経過と共に変化する。任意の送信に対するチャネル条件及び干渉条件を測定可能なので、ＵＥはダウンリンク信号対干渉雑音比（ＳＩＮＲ）を測定することができる。ＳＩＮＲを用いてＣＱＩ（チャネル品質情報）値を取ることもできる。これは、符号化率を用いた変調方式である。
【０００４】
ロング・ターム・エボリュ−ション（ＬＴＥ）送信信号は、時間及び周波数において二次元を構成し、複数の時間リソースエレメント（ＲＥ）からなる。各ＲＥは、継続時間がおよそ７１マイクロ秒で周波数が１５キロヘルツ（ＫＨｚ）の二次元タイルである。ＣＱＩ計算に先立ちチャネル及び干渉を測定するために、ＢＳはパイロット信号を用いて特定のＲＥを構成することができる。これらのＲＥを、チャネル状態情報参照信号（ＣＳＩ−ＲＳ）リソースと呼ぶ。この送信は、任意のＣＳＩ−ＲＳリソース内での受信信号をｙとして、以下の式で表すことができる。
【０００５】
【数１】
2013236369.tif 000003
【０００６】
ここで、Ｈは推定されるチャネルであり、ｓは送受信装置でわかる送信パイロット信号である。Ｉ＋ｎはＵＥが測定する干渉及び雑音で、これらはＣｏＭＰ協調集合内の他のＢＳからの干渉とともに、このＣｏＭＰ集合以外のＢＳからの雑音及び干渉を含む場合もある。ＵＥはまず、受信したｙとｓとからＨを推定する。推定したＨをＨｅｓｔとする。所望の基地局がＣＳＩ−ＲＳを送信している間、チャネル推定中の干渉Ｉは、干渉している基地局の数に正比例する。チャネル推定を行うには、ＣＳＩ−ＲＳを送信している間は、ネットワークでは、これらの基地局の大部分について送信動作を行わせないようにする。送信動作を行わせないようにすることをＩ＝０と設定することにより、干渉のないチャネルＨｅｓｔを推定する。
【０００７】
この干渉を推定するために、従来技術のシステムでは、ＵＥに対し、干渉管理リソース（ＩＭＲ）と呼ばれる特別のパイロット記号を時間及び周波数において構成することがある。ＩＭＲ送信中、所望の基地局の送信動作を行わせず、ＣｏＭＰ集合内の残りの基地局の部分集合が送信を行う。任意のＩＭＲの受信信号ｙから、以下の式によりこの送信を説明することができる。
【０００８】
【数２】
2013236369.tif 000004
【０００９】
干渉雑音電力（Ｉ＋ｎ）ｅｓｔを見積もる際に、受信信号によりＵＥを支援することもできる。ＣＱＩ値は、以下の式から推定する。
【００１０】
【数３】
2013236369.tif 000005
【発明の概要】
【発明が解決しようとする課題】
【００１１】
チャネル推定の精度は、干渉が低下すると上昇する傾向がある。協調集合内のその他のＢＳが送信動作を行っていない状態（休止状態、送信していない状態）で、そのダウンリンクチャネルが推定されるＢＳのみが送信を行っているＢＳである場合に、理論的に理想的なチャネル推定が行われる。しかしながら、このチャネル推定には、干渉測定が不十分になるという代償を伴う。例えば、協調集合内の残りのＢＳが送信動作を行っていない状態で、１つのＢＳだけがＵＥに送信している場合、ＵＥは暗雑音電力の測定しか行うことができない。協調集合内の他のＢＳが実際に送信中である時に、干渉測定が不十分であると、後続のデータ送信のＣＱＩ計算が不正確になる可能性がある。
【課題を解決するための手段】
【００１２】
本例示実施形態のいくつかの面は基地局を含み、基地局は、基地局がサービング基地局として動作している時に、各ユーザ機器（ＵＥ）のうち少なくとも１つの協働基地局の下限ＣＱＩ値と各ＵＥに対する基地局の上限ＣＱＩ値とに基づいて、マルチポイント協調送受信（ＣｏＭＰ）方式のための複数のチャネル品質情報（ＣＱＩ）値を、基地局に対応付けられた前記各ＵＥ毎に決定するように構成された中央処理装置（ＣＰＵ）と、前記基地局及び前記各ＵＥとの間の送受信を処理するフロントエンドとを備える。
【００１３】
この基地局をさらに、以下のように構成してもよい。この基地局がサービング基地局として動作している時に、ＵＥのうちの少なくとも１つについて、少なくとも１つの協働基地局のうちの基地局で、少なくとも１つの協働基地局のうちの第１の基地局より大きい信号強度を有する基地局の送信動作を行わせないようにする複数の第１の命令を送信し、少なくとも１つの協働基地局のうちの残りの基地局がパイロット信号を送信するように命令する複数の第２の命令を送信し、ＵＥのうちの少なくとも１つについて、ＵＥのうちの少なくとも１つのＣＱＩ値を少なくとも１つの協働基地局のうちの第１の基地局の下限ＣＱＩ値として決定するように構成する。
【００１４】
本例示実施形態の別の面は、基地局を動作させるための複数の命令を保存する非一時的コンピュータ読取り可能媒体を含むこともできる。これらの命令は、前記基地局がサービング基地局として動作している時に、各ユーザ機器（ＵＥ）に対する少なくとも１つの協働基地局の下限ＣＱＩ値と前記各ＵＥに対する基地局の上限ＣＱＩ値とに基づいて、前記基地局に対応付けられた前記各ＵＥのマルチポイント協調送受信（ＣｏＭＰ）方式のための複数のチャネル品質情報（ＣＱＩ）値を決定することと、前記基地局及び前記各ＵＥとの間の送受信を処理することとを備えることもできる。
【００１５】
これらの命令はさらに、前記基地局がサービング基地局として動作している時に、前記ＵＥのうちの少なくとも１つについて、少なくとも１つの協働基地局のうちの基地局で、少なくとも１つの協働基地局のうちの第１の基地局より大きい信号強度を有する基地局の送信動作を行わせないようにする複数の第１の命令を送信することと、少なくとも１つの協働基地局のうちの残りの基地局がパイロット信号を送信するように命令する複数の第２の命令を送信することと、前記ＵＥのうちの少なくとも１つについて、ＵＥのうちの少なくとも１つのＣＱＩ値を少なくとも１つの協働基地局のうちの第１の基地局の下限ＣＱＩ値として決定することとを含むことができる。
【００１６】
本例示実施形態の別の面はさらに、システムを含むことができる。このシステムは、基地局とサービング基地局に対応付けられた各ユーザ機器（ＵＥ）との間の送受信を処理するフロントエンドを含む前記サービング基地局と、少なくとも１つの協働基地局とを備える。前記基地局が前記サービング基地局として動作している時に、少なくとも前記ＵＥの１つについて、前記少なくとも１つの協働基地局の下限ＣＱＩ値及び前記各ＵＥに対する前記基地局の上限ＣＱＩ値に基づいて、前記サービング基地局が、前記基地局に対応付けられた前記各ＵＥについて、マルチポイント協調送受信（ＣｏＭＰ）方式のための複数のチャネル品質情報（ＣＱＩ）値を決定するように構成されている。サービング基地局をさらに、ＵＥのうちの少なくとも１つについて、少なくとも１つの協働基地局のうちの基地局で、少なくとも１つの協働基地局のうちの第１の基地局より大きい信号強度を有する基地局の送信動作を行わせないようにする複数の第１の命令を送信し、少なくとも１つの協働基地局のうちの残りの基地局がパイロット信号を送信するように命令する複数の第２の命令を送信し、ＵＥのうちの少なくとも１つについて、ＵＥのうちの少なくとも１つのＣＱＩ値を少なくとも１つの協働基地局のうちの第１の基地局の下限ＣＱＩ値として決定するように構成してもよい。
【図面の簡単な説明】
【００１７】
【図１（ａ）】一例示実施形態に係るサービング基地局（ＢＳ）の構成である。
【図１（ｂ）】一例示実施形態に係るサービング基地局（ＢＳ）の構成である。
【図２（ａ）】一例示実施形態に係る協働基地局の構成である。
【図２（ｂ）】一例示実施形態に係る協働基地局の構成である。
【図３（ａ）】一例示実施形態に係るＣＳＩ−ＲＳリソース構成モジュールのフローチャートである。
【図３（ｂ）】一例示実施形態に係るパイロットリソース構成モジュールのフローチャートである。
【図３（ｃ）】一例示実施形態に係るパイロットリソース構成モジュールのフローチャートである。
【図３（ｄ）】一例示実施形態に係るパイロットリソース構成モジュールのフローチャートである。
【図４（ａ）】一例示実施形態に係る図３（ａ）のフローチャートを説明する一例のネットワーク構成である。
【図４（ｂ）】一例示実施形態に係る図３（ｂ）乃至図３（ｄ）のフローチャートを説明する一例のネットワーク構成である。
【図５】一例示実施形態に係るＣＱＩ補間モジュールのフローチャートである。
【図６】一例示実施形態に係るＢＳのメモリに保存したＣＱＩ値の表である。
【図７】一例示実施形態に係るＣｏＭＰスケジュールモジュールのフローチャートである。
【図８（ａ）】一例示実施形態に係るシステムのフロー図である。
【図８（ｂ）】一例示実施形態に係るシステムのフロー図である。
【図９（ａ）】一例示実施形態に係る基地局に対する例示のリソースエレメントスケジュールである。
【図９（ｂ）】一例示実施形態に係る基地局に対する例示のリソースエレメントスケジュールである。
【図１０】一例示実施形態を実施するシステム内の各基地局に対する例示のリソースエレメントスケジュールである。
【図１１】一例示実施形態に係る基地局のハードウェア構成である。
【発明を実施するための形態】
【００１８】
例示実施形態は、基地局（ＢＳ）群が時間及び時間周波数内でパイロット信号を構成できるシステム及び方法に向けたものである。パイロット信号は、チャネル状態情報参照信号（ＣＳＩ−ＲＳ）リソース及びＩＭＲを含むことができる。用いられるパイロット信号については、ＣＳＩ−ＲＳリソースのみとすることや、ＣＳＩ−ＲＳとＩＭＲとを組み合わせたものとすることができる。携帯電話やラップトップ等のユーザ機器（ＵＥ）は、実際のデータ送信の間に発生する特定のチャネル条件及び干渉条件に対応する、予想チャネル品質情報（ＣＱＩ）を測定することができる。これらの値を用いることにより、例示実施形態では、補間アルゴリズムも用いる。この補間アルゴリズムにより、基地局群が、異なるチャネル条件及び干渉条件の集合に対応する、他の予想されるＣＱＩを推定することができる。例示実施形態については、マルチポイント協調送受信（ＣｏＭＰ）と呼ばれる基地局協働技術に関するＬＴＥ−Ａｄｖａｎｃｅｄセルラーネットワーク内で実施することも可能である。
【００１９】
パイロット信号がＣＳＩ−ＲＳだけを含む一例示実施形態では、各ＵＥ用に、基地局はまず、ＵＥに対する基地局の減少ダウンリンク信号強度当たりの基地局の順番を決定する。ＵＥ毎にＮ局のＢＳがある場合、基地局は次に、ＵＥ毎にＮ＋１個のＣＳＩ−ＲＳリソースを構成する。これは、各ＵＥが、これらのＮ局のＢＳ毎にチャネルを測定することにより行われる。ＢＳからの特定ダウンリンクチャネルが推定中である任意のリソースにおいて、残りのＢＳの部分集合についても構成して、送信を行わせて干渉を発生させる。これを、部分的に「送信動作を行わせない」と呼ぶ。ＵＥに対し、より大きい信号強度チャネルを有するＢＳについて、この干渉している部分集合の大きさが大きくなるように選択する。この大きさを決定することにより、ＵＥが、これらのＢＳから発生する干渉を測定することができるようになり、これらの送信のＣＱＩを計算することができるようになる。
【００２０】
パイロット信号がＣＳＩ−ＲＳ及びＩＭＲを両方含む一例示実施形態では、各ＵＥに対し、基地局はまず、ＵＥに対する基地局の減少ダウンリンク信号強度当たりの基地局の順番を決定する。ＵＥ毎にＮ局のＢＳがある場合、基地局は次に、ＵＥ毎にＮ個のＩＭＲ及びＮ個のＣＳＩ−ＲＳリソースを構成する。これは、各ＵＥがこれらのＮ局のＢＳ毎にＮ個の異なるチャネル及び干渉を測定することにより行われる。各ＩＭＲに対し、残りのＢＳの部分集合も構成して、送信を行わせて干渉を発生させる。ＵＥに対しより大きい信号強度チャネルを有するＢＳでは、この干渉している部分集合の大きさが大きくなるように選択する。この大きさを決定することにより、ＵＥが、これらのＢＳから発生する干渉を測定することができるようになり、これらの送信のＣＱＩを計算できるようになる。
【００２１】
ダウンリンク信号強度に基づくＢＳの順序を利用することにより、信号を送信しておりかつ干渉している基地局の数が変わらないようにしながらも、信号を送信しておりかつ干渉しているＢＳが異なるＢＳの時には、これらの信号値及び干渉値により、限度が設けられる。これらの限度を用いることにより、例示実施形態では、ＢＳが他のＣＱＩ値を得ることができたり、他のＣＱＩ値を補間することができたりする方法を用いる。
【００２２】
本例示実施形態は、例えばＲｅｌｅａｓｅ１１（Ｒｅｌ−１１）ＬＴＥ以降等の、ＣｏＭＰを用いるＬＴＥ−Ａｄｖａｎｃｅｄセルラーシステム内で実施することもできる。本例示実施形態を実施することにより、ＣｏＭＰの実施に必要なフィードバックオーバーヘッドを低減することが可能となり、多数のＣｏＭＰ方式を実施する際の柔軟性を導くことが可能になる。
【００２３】
なお、協調集合内にＮ局の基地局があるとすると、実際のデータ送信中に、いずれか１以上のこれらのＮ局の基地局はＵＥに対し送信を行うことができる。各基地局の状態についても、時間とともに変化し得る。従って、ＵＥは、異なる組み合わせの信号を送信しておりかつ干渉している基地局に対応する、予想されるあらゆる種類のＣＱＩ値を識別する必要がある。しかしながら、このような予想組み合わせの総数は多く、Ｎに対し指数関数的である。ネットワークでは、これほど多くのパイロットリソース（ＩＭＲ及びＣＳＩ−ＲＳリソース、又はＣＳＩ−ＲＳリソースのみ）を構成することはできないことがある。従って、本例示実施形態では、Ｎ個のリソースのみ（Ｎ個のＣＳＩ−ＲＳ及びＮ個の対応するＩＭＲ、又はＮ個のＣＳＩ−ＲＳのみ）をネットワークに構成させることにしている。これにより、ＵＥは、Ｎ＋１個のＣＱＩを測定することができ、ネットワークにより、他のＣＱＩについても推定することができる。
【００２４】
ＣｏＭＰ集合内には二種類のＢＳが存在する。ＵＥが最初に接続するサービングＢＳと、ＵＥにとって最も高い値のダウンリンク受信信号強度を有するサービングＢＳとである。ＣｏＭＰ集合内には、サービングＢＳと協働してＵＥに対し送信を行う他のＢＳも存在する。ＵＥは主として、サービングＢＳと通信を行う。サービングＢＳは、ＣｏＭＰ機能（例えば、ＵＥフィードバックに基づいて、ＣｏＭＰにおいて他のＢＳのうちのどのＢＳと協働するかを決定する機能、チャネル推定のためにどのようにＣＳＩ−ＲＳリソースを構成するかという機能）を行い、ダウンリンク制御信号送信を介してＵＥに対し情報を送り、その他のＢＳには迂回中継路を介して情報を送る。
【００２５】
図１（ａ）は、一例示実施形態に係るサービング基地局（ＢＳ）の構成を示す。基地局がサービングＢＳとして用いられている時には、本例示実施形態に係るシステム内のＢＳは、図１（ａ）の構成によるモジュールを用いることができる。図１（ａ）に示す例では、ＣＳＩ−ＲＳのみを送信することにより、チャネル推定を行う。
【００２６】
サービングＢＳ１００は、ＵＥに対し送信を行い、ＵＥから信号を受信するトランシーバ（Ｔｘ）モジュール１０１及びレシーバ（Ｒｘ）モジュール１０２と、他のＢＳと通信を行う迂回中継路モジュール１０７とを備える。Ｔｘモジュール１０１及びＲｘモジュール１０２は、図１１に示すような無線周波数（Ｒ／Ｆ）フロントエンド等のハードウェア構成で実施することもできる。サービングＢＳ１００は、ＵＥに対する各ＢＳのリンク利得（伝搬損失、シャドーイング等）を決定するＲＲＭ測定を用いて信号を生成する無線リソース管理（ＲＲＭ）モジュール１０３を有する。サービングＢＳ１００は、ＣｏＭＰ機能を実行するＣｏＭＰモジュール１０４と、ＬＴＥ信号のデジタル信号処理を行い、かつＣｏＭＰモジュール１０４のサブモジュールを実行するように構成されたＣＰＵ１０５と、サービングＢＳ１００のモジュールを支援するメモリ１０６とを有する。サービングＢＳ１００は、迂回中継路を介して他の基地局と通信を行う迂回中継路モジュール１０７を備えてもよい。サービングＢＳモジュール１００はさらに、ＣｏＭＰ集合内の全てのＢＳと共同でスケジューリングを行うＣｏＭＰスケジューラモジュール１０８を用いることもできる。ＣｏＭＰスケジューラモジュール１０８に関するその他の詳細は、図７の説明で示す。
【００２７】
サービングＢＳ１００のＣｏＭＰモジュール１０４はさらに、以下の付属のサブモジュールを備えてもよい。
【００２８】
ＣｏＭＰ集合決定モジュール１０４−１は、ＵＥから報告されたＲＲＭ測定値に基づいて、他のＢＳが任意のＵＥのＣｏＭＰ集合内に存在するかを決定する。ＣｏＭＰ集合決定モジュール１０４−１は、サービングＢＳ１００自体と協働ＢＳとを、ＵＥに対し降順の信号強度でランク付けしてもよい。
【００２９】
ＣＳＩ−ＲＳリソース構成モジュール１０４−２は、ＣｏＭＰ集合内の全てのＢＳについて、どのリソースエレメントによりＢＳがパイロット信号を送信するかを決定したり、ＢＳに送信動作を行わせないかを決定したり、どのような対応する電力レベルで送信したりするかを決定する。ＣＳＩ−ＲＳ構成リソース構成モジュールに関するその他の詳細は、図３の説明で示す。
【００３０】
ＣＳＩ−ＲＳリソース生成モジュール１０４−３は、サービングＢＳのＣＳＩ−ＲＳパイロット信号を生成する。
【００３１】
ＣＱＩ補間モジュール１０４−４は、ＵＥから報告されたＣＱＩ値を受信し、他の構成（別の信号を送信しておりかつ干渉しているＢＳに対応する）のＣＱＩを補間する。ＣＱＩ補間モジュールにＣＳＩ−ＲＳ構成リソース構成モジュールに関するその他の詳細は、図５の説明で示す。
【００３２】
図１（ｂ）は、一例示実施形態に係るサービング基地局（ＢＳ）の構成を示す。基地局がサービングＢＳとして用いられている時には、本例示実施形態に係るシステム内のＢＳは、図１（ｂ）の構成によるモジュールを用いることもできる。図１（ｂ）の例では、ＣＳＩ−ＲＳ及びＩＭＲの組み合わせを用いることにより、チャネル推定を行う。説明を簡潔にするため、図１（ａ）と同様の要素については、説明を省略する。
【００３３】
パイロット信号リソース構成モジュール１０４−２ａは、ＣｏＭＰ集合内の全てのＢＳについて、どのリソースエレメントによりＢＳがパイロット信号を送信するかを決定したり、ＢＳの送信動作を行わせないかを決定したり、どのような対応する電力レベルで送信したりするかを決定する。パイロット信号は、干渉測定にはＩＭＲを参照し、チャネル推定にはＣＳＩ−ＲＳを参照し、又干渉及びチャネル推定の両方を行う場合にはＣＳＩ−ＲＳを参照したりする。パイロット構成リソース構成モジュールに関するその他の詳細は、図３（ｂ）乃至図３（ｄ）の説明で示す。
【００３４】
パイロットリソース生成モジュール１０４−３ａは、サービングＢＳのＣＳＩ−ＲＳ信号及びＩＭＲ信号（又はＣＳＩ−ＲＳのみ）を生成する。
【００３５】
図２（ａ）は、一例示実施形態に係る協働基地局２００の構成を示す。ＢＳが協働ＢＳとして用いられている時には、本例示実施形態に係るシステム内のＢＳは、図２（ａ）の構成によるモジュールを用いることができる。図２（ａ）に示す例では、ＣＳＩ−ＲＳのみを用いることにより、チャネル推定を行う。
【００３６】
ＢＳは、任意の時間に、サービングＢＳ１００又は協働ＢＳ２００のどちらかとして動作可能なので、説明を簡潔にするため、ＢＳに関する重複する要素及び説明を省略する。サービングＢＳとして動作していないＣｏＭＰ集合内のＢＳ（従って、協働ＢＳと呼ぶ）は、図２（ａ）に示すような構成を用いてもよい。協働基地局２００では、ＣｏＭＰ集合決定モジュール１０４−１及びＣＳＩ−ＲＳ構成モジュール１０４−２等のサービングＢＳ１００に特有のモジュールは用いられず、説明を簡潔にするために説明を省略する。協働基地局２００のＣｏＭＰモジュール２０４は、サービングＢＳにより報告されたＣＳＩ−ＲＳ構成に基づいて、ＣＳＩ−ＲＳリソース構成を初期化するＣＳＩ−ＲＳリソース構成初期化モジュール２０４−２を用いてもよい。
【００３７】
ＵＥは、そのＣｏＭＰ集合内の全ＢＳからＲＲＭ信号を受信し、サービングＢＳが減少信号強度について全ＢＳをランク付けするＲＲＭ測定を行う。全ＢＳから送信されたＣＳＩ−ＲＳパイロット信号に基づいて、ＵＥは信号値及び干渉値を計算し、ＣＱＩを計算し、計算したＣＱＩをサービングＢＳに報告する。
【００３８】
図２（ｂ）は、一例示実施形態に係る協働基地局２００の構成を示す。本例示実施形態に係るシステム内のＢＳは、ＢＳが協働ＢＳとして用いられている時には、図２（ｂ）の構成によるモジュールを用いることもできる。ＢＳは、任意の時間に、サービングＢＳ１００又は協働ＢＳ２００のどちらかとして動作可能なので、説明を簡潔にするため、ＢＳに関する重複する要素及び説明を省略する。
【００３９】
図２（ｂ）に示す例では、パイロット信号内のＣＳＩ−ＲＳ及びＩＭＲの組み合わせを用いることにより、チャネル推定を行う。従って、サービングＢＳにより報告されたパイロット構成に基づいて、ＣＳＩ−ＲＳリソース構成モジュール２０４−２を、パイロット信号構成を初期化するパイロット信号構成初期化モジュール２０４−２と置き換える。
【００４０】
図３（ａ）は、一例示実施形態に係るＣＳＩ−ＲＳリソース構成モジュール１０４−２のフローチャートを示す。各送信ＢＳ毎に、干渉しているＢＳの集合を決定する必要がある。上述のように、チャネル品質強度が高いほど、より大きい干渉を許容でき、しかも干渉に対するチャネルについて十分な推定を行うことができる。
【００４１】
上記に開示したように、サービングＢＳ１００は、ＣｏＭＰ集合のＮ局のＢＳ内で、減少信号強度によりＢＳを順序づける。従って、ＢＳｋが送信ＢＳである場合、ＢＳ１乃至ＢＳｋ−１は、ＵＥに対しより強度の高い信号を有するので送信動作を行わせない。さもないと、このようなＢＳが送信を行うことにより、所望の信号より強度の大きい干渉を引き起こすおそれがあるからである。このことは、データ送信について想定することができるので、ＣＳＩ−ＲＳ処理でも用いることができる。
【００４２】
ＢＳｋ＋１乃至ＢＳＮの信号強度はＢＳについては弱く、干渉の範囲に含まれることがある。これらのＢＳの部分集合は送信を行う。３０１では、ＣＳＩ−ＲＳリソース構成モジュール１０４−２は、この部分集合を決定する。ＢＳｋが信号を送信しているＢＳであるこの送信ＢＳの集合を、Ｓｋと記す。次に、残りのＢＳ、すなわち、｛１、…Ｎ｝−Ｓｋは送信を行わない（送信動作を行わせない）。
【００４３】
Ｎ局のＢＳそれぞれを構成するまで、各ＢＳに対し３０１及び３０２のフローを繰り返す。（Ｎ局のＢＳそれぞれに対応する）これらＮ個のＣＳＩ−ＲＳリソースを構成した後、３０３に示すように、ネットワークは、ＢＳ１（最強度のＢＳ及びサービングＢＳ）のみが送信を行い、他は全て送信動作を行わせないという別のＣＳＩ−ＲＳリソースについても構成する。ＢＳ１の送信は、信号を送信しておりかつ干渉しているＢＳの他の組み合わせ全てについて達成可能な全スループットの上限となる。この上限に基づいて、各種の部分集合に対するＣＱＩ値を補間する。
【００４４】
図３（ｂ）乃至図３（ｄ）は、一例示実施形態に係るパイロット信号リソース構成モジュール１０４−２ａのフローチャートを示す。図３（ｂ）は、パイロット信号リソース構成モジュール１０４−２ａがＣＳＩ−ＲＳ構成モジュール３０４及びＩＭＲ構成モジュール３０５を呼び出しうることを示す。
【００４５】
図３（ｃ）は、パイロット信号リソース構成モジュール１０４−２ａに呼び出されるＣＳＩ−ＲＳ構成モジュール３０４を示す。３０４−１では、ＢＳｋ毎に、ＣＳＩ−ＲＳ信号を送信させる命令を送信するようにＣＳＩ−ＲＳ構成モジュールを構成する。３０４−２では、ＣｏＭＰ集合内の残りのＢＳの送信動作を行わせないようにする命令を送信するようにＣＳＩ−ＲＳ構成モジュールを構成することにより、ＢＳｋのチャネル推定を行う。
【００４６】
図３（ａ）の場合のように、送信ＢＳ毎に、干渉しているＢＳの集合を決定する必要がある場合がある。上述のように、チャネル品質強度が高いほど、より大きい干渉を許容でき、しかも干渉に対するチャネルについて十分な推定を行うことができる。
【００４７】
図３（ａ）の場合のように、サービングＢＳ１００は、Ｎ局のＢＳのＣｏＭＰ集合内で、減少信号強度によりＢＳを順序づける。従って、ＢＳｋが送信ＢＳである場合、ＢＳ１乃至ＢＳｋ−１は、ＵＥに対しより強度の高い信号を有するので送信動作を行わせない。さもないと、このようなＢＳが送信を行うことにより、所望の信号より強度の大きい干渉を引き起こす恐れがあるからである。このことはデータ送信についても想定できるので、チャネル推定にＩＭＲ及びＣＳＩ−ＲＳリソースの両方を用いる場合に、用いることができる。
【００４８】
ＢＳｋ＋１乃至ＢＳＮの信号強度がＢＳについては弱く、干渉の範囲に含まれることがある。これらのＢＳの部分集合は送信を行う。
【００４９】
図３（ｄ）は、パイロット信号リソース構成モジュール１０４−２ａにより呼び出すことができるＩＭＲ構成モジュール３０６を示す。パイロット信号がＣＳＩ−ＲＳ及びＩＭＲの両方である一例示実施形態では、３０５−１で、ＩＭＲ構成モジュールがこの部分集合を決定する。ＢＳｋが信号を送信しているＢＳであるこの送信ＢＳの集合を、Ｓｋと記す。次に、３０５−２では、残りのＢＳ、すなわち、｛１、…Ｎ｝−Ｓｋは送信を行わない（送信動作を行わせない）。送信動作を行わせないＢＳはまた、ＵＥが直接干渉を測定できるように、サービングＢＳｋを備える。従って、ＣｏＭＰ集合内の全ＢＳの送信動作を行わせないように、最終のＩＭＲを構成し、このＣｏＭＰ集合以外から発生する干渉及び雑音を測定することが可能になる。
【００５０】
従って、Ｎ局のＢＳそれぞれに対応してＮ個のＣＳＩ−ＲＳリソースを構成し、ＵＥは、ＢＳ毎にチャネルを測定する。Ｎ個のＩＭＲについても、対応する干渉をＵＥが測定することができるように、ＣＳＩ−ＲＳ送信に対応する各ＩＭＲを用いて構成する。これらの測定から、ＵＥは、サービングＢＳに報告できるＮ＋１個のＣＱＩ値を決定することができる。
【００５１】
図４（ａ）は、一例示実施形態に係る、図３（ａ）のフローチャートを説明する一例のネットワーク構成を示す。
【００５２】
図３（ａ）のフローチャートの例では、ＣｏＭＰ集合内のＢＳがＮ＝３であり、１つのサービングＢＳ４００（ここではＢＳ１と呼ぶ）と２つの協働ＢＳ４０１及び４０２（ここではそれぞれＢＳ２及びＢＳ３と呼ぶ）が存在すると仮定する。例示のネットワーク構成を図４（ａ）に示す。
【００５３】
従って、ＵＥに対する減少信号強度に関するＢＳの順序は、｛ＢＳ１、ＢＳ２、ＢＳ３｝である。ＢＳ１がＣＳＩ−ＲＳ１を送信する（４０３）時は、ＢＳ１は信号として作用し、ＢＳ２及びＢＳ３は干渉として作用する。ＢＳ２が送信する（４０４）時は、ＢＳ３だけが干渉として作用し、ＢＳ１の送信動作を行わせない。ＢＳ３が送信する（４０５）時は、ＢＳ１及びＢＳ２の送信動作を行わせない。従って、集合Ｓ１＝｛ＢＳ１、ＢＳ２、ＢＳ３｝、集合Ｓ２＝｛ＢＳ２、ＢＳ３｝、及び集合Ｓ３＝｛ＢＳ３｝となる。集合Ｓｋでは、ＢＳｋは信号として作用するＢＳで、残りのＢＳは干渉物となる。従って、サービングＢＳ１は、ＢＳ２及びＢＳ３についてＣＳＩ−ＲＳを送信するように構成する。３つのＣＳＩ−ＲＳリソース内のＵＥが受信する信号は、以下の式で表される。
【００５４】
【数４】
2013236369.tif 000006
【００５５】
【数５】
2013236369.tif 000007
【００５６】
【数６】
2013236369.tif 000008
【００５７】
図４（ｂ）は、一例示実施形態に係る、図３（ｂ）乃至図３（ｄ）のフローチャートを説明する、一例のネットワーク構成を示す。
【００５８】
この例は、ＣＳＩ−ＲＳの代わりにパイロット信号４０３−１、４０４−１及び４０５−１を送信することを除き、図４（ａ）と同じである。
【００５９】
サービングＢＳ１は、ＢＳ２及びＢＳ３についてＣＳＩ−ＲＳを送信するように構成する。ＢＳ１がＣＳＩ−ＲＳｋを送信する時は、他のＢＳに送信動作を行わせない。ネットワークでは、以下のようにＮ＝３個のＣＳＩ−ＲＳ信号を構成する。
【００６０】
【数７】
2013236369.tif 000009
【００６１】
【数８】
2013236369.tif 000010
【００６２】
【数９】
2013236369.tif 000011
【００６３】
これにより、ＵＥがＢＳ１、ＢＳ２及びＢＳ３のチャネルを推定することが可能になる。ここで、ネットワークでは、Ｎ＝３個のＩＭＲを構成する。実際のデータ送信中、ＢＳ１がデータ信号を送信する（４０３−１）時は、ＢＳ２及びＢＳ３は干渉として作用する。ＢＳ２が送信する（４０４−１）時は、ＢＳ３だけが干渉として作用し、ＢＳ１の送信動作を行わせない。ＢＳ３が送信する（４０５−１）時は、ＢＳ１及びＢＳ２の送信動作を行わせない。従って、集合Ｓ１＝｛ＢＳ２、ＢＳ３｝、集合Ｓ２＝｛ＢＳ３｝、及び集合Ｓ３＝｛ヌル｝となる。３つのＩＭＲ内のＵＥが受信する信号は、以下の式で表される。
【００６４】
【数１０】
2013236369.tif 000012
【００６５】
【数１１】
2013236369.tif 000013
【００６６】
【数１２】
2013236369.tif 000014
【００６７】
Ｎは、ｚの測定した電力（例えば、ＣｏＭＰ集合以外から発生する干渉及び雑音）とする。
【００６８】
上記の計算（式３（ａ）又は式３（ｂ）及び３（ｃ）のいずれか）を用いることにより、ＵＥは以下のＣＱＩを決定することができる。
【００６９】
【数１３】
2013236369.tif 000015
【００７０】
【数１４】
2013236369.tif 000016
【００７１】
【数１５】
2013236369.tif 000017
【００７２】
ＵＥを、サービングＢＳ１が送信し、ＣｏＭＰ集合内の全ＢＳの送信動作を行わせないという状況に対応する、別のＣＱＩを報告するように構成する。これにより、ＵＥにより達成可能なＣＱＩの上限が与えられる（ＢＳ１が最強度の信号を有し、このＣＱＩ計算では、他のＣｏＭＰ集合内のＢＳから干渉が全くないと仮定する場合）。図４（ａ）及び図４（ｂ）の例では、サービングＢＳ４００、つまりＢＳ１が、ＢＳ１だけが送信を行うという別のＣＳＩ−ＲＳリソースについても構成し、ＵＥが計算した対応するＣＱＩは、以下の式で表される。
【００７３】
【数１６】
2013236369.tif 000018
【００７４】
上記の式（４）の組及び式（５）から、重み付けに基づいて、他の基地局の構成（例えば、ＢＳ２が送信し、ＢＳ３の送信動作を行わせない、等）について、ＣＱＩを補間することができる。重みを調整してもよいし、システム構成に基づいて、所望の正確なレベルでＣＱＩ値を推定するように、一当業者が重み付けシステムを作成してもよい。
【００７５】
図５は、一例示実施形態に係る、ＣＱＩ補間モジュール１０４−４のフローチャートを示す。ＣＱＩ補間モジュール１０４−４は、サービング基地局でＣＱＩ補間を行う。ＢＳ１が送信を行っている時には、２つのＣＱＩ（ｃ１及びｃｏａｘ）が存在し、送信を行っている他のＢＳｋ全てについては、１つのＣＱＩ（ｃｋ）が存在する。上述のように、ＣＳＩ−ＲＳ送信を用いてチャネル推定を行う。しかしながら、以下のように、実際のデータ送信中にいくつかの問題が発生する。
【００７６】
ＢＳｋが送信を行っている時には、残りのｋ＋１乃至Ｎ局のＢＳのいずれかについても、送信を行って干渉として作用することがある。従って、ＣＱＩ値は、ＣＳＩ−ＲＳの送信中又はパイロット信号送信中の場合のような集合｛Ｓｋ｝−ｋに必ずしも基づく必要はない。例えば、実際の送信中、ＢＳ１に送信を行わせて、ＢＳ２の送信動作を行わせないようにすると、以下のサポートレートとなる。
【００７７】
【数１７】
2013236369.tif 000019
【００７８】
このＣＱＩを、ｃ１、ｃ２、ｃ３、及びｃｍａｘから予測する必要がある。しかしながら、ＢＳｋのデータ送信中、ＢＳ１乃至ＢＳｋ−１の送信動作を行わせないと仮定することができる。さもないと、強い干渉が発生するからである。
【００７９】
図５のフローチャートに示すように、５００では、第１のＮ個のリソースから報告されたＣＱＩを収集する。これらのＣＱＩを、ｃ１、ｃ２、…、ｃＮと記す。最終のリソースから報告されたＣＱＩ（ＢＳ１のみが、又はサービング基地局が送信を行っている）を、ｃｍａｘと記す。
【００８０】
５０１では、報告されたＣＱＩ値に基づいて、例えばｉ＝１の時にαｉｍａｘ＝１であり、α１ｍａｘ＞α２ｍａｘ＞…＞αＮｍａｘであるαｉ＝（０、αｉｍａｘ）のように、範囲αｉを選択してＣＱＩ値を補間する。αｉは、受信した値に基づいて、各種の基地局の構成のＣＱＩ値を補間する重みを反映している。潜在的な干渉が大きいほど、ＣＱＩが低いことを意味し、より低い重み値を選択につながる。重み値が大きいほど、存在する干渉が小さいことを意味するので、より大きいＣＱＩとなる。重みについては、報告されたＣＱＩ値と十分な推定が得られるシステム構成とに基づいて、一当業者が何らかの方法により決定することもできる。上記の仮定した例では、ｃ１、ｃ２、ｃ３、…ｃｍａｘの報告されたＣＱＩ値に基づいて、αｉｍａｘを得て、次に、各種のαｉ値を得ることにより各種のＣＱＩ値を補間する。
【００８１】
５０２では、送信ＢＳを決定し、ＢＳｋとして設定する。α１ｍａｘ＝１及びα１ｍａｘ＞α２ｍａｘ＞…＞αＮｍａｘを用いて、ＢＳｋのパラメ−タαｋｍａｘを決定する。
【００８２】
５０３では、ＣＱＩ補間モジュールは、いずれのＢＳｋに対しても、送信を行って干渉を発生するＢＳの数を決定する。この数をＮｋとし、Ｎｋが大きいほどαｋが低くなるように（又は、Ｍｋ＝｜Ｓｋ｜−Ｎｋが大きいほど大きくなるように）、αｋ＝（０、αｋｍａｘ）を選択する。
【００８３】
５０４では、上述のように、ＣＱＩ補間モジュールは、得られたαｉ値に基づいて、Ｍｋと共にαｋが増加する（１−αｋ）ｃｋ＋αｋ＊ｃｍａｘのように、各種のＣＱＩ値を補間する。
【００８４】
一例として、ｋ＝１であり、ＢＳ３だけが送信を行っていると仮定すると、ｓＮｋ＝１となる。従って、ＢＳ２及びＢＳ３がともに送信を行っている（すなわち、ｃ１）場合よりも、ＣＱＩは上限（ｃｍａｘ）に近づく。
【００８５】
別の例として、決定をＢＳ２に変更し、ＢＳ３が送信を行っていない状態であると仮定する。ＢＳ２が達成できるＣＱＩは、ｃｍａｘによりやはり上限が設けられているが、ｃｍａｘと同じではない。なぜなら、Ｈ１のチャネル電力値は最も大きく、Ｈ２より大きいからである。従って、ＣＱＩ補間の式は、α２ｍａｘ＜１である。
【００８６】
図６は、一例示実施形態に係る、ＢＳのメモリに保存したＣＱＩ値の表を示す。図６に示すように、ＢＳはそのメモリモジュールに表を維持している。これらの表は、異なるＣＱＩ値を保存している。これらの値のいくつか（例えば、ｃ１、ｃ２、ｃ３、ｃｍａｘ等）をＵＥが報告してもよいし、図５で説明したＣＱＩ補間サブモジュールにより保管してもよい。次に、ＣｏＭＰスケジューラモジュールがこれらの表にアクセスする。
【００８７】
図７は、一例示実施形態に係るＣｏＭＰスケジュールモジュール１０８のフローチャートを示す。
【００８８】
ＣｏＭＰスケジューラモジュール１０８では、異なるＢＳが共同ＣｏＭＰスケジューリングを行う。従って、ＣｏＭＰスケジューラモジュール１０８は、サービングＢＳ及び協働ＢＳの全ＢＳに存在する。７００及び７０１では、全ＵＥの平均レートの値とともに、スケジューラは図６に記載の表から異なるＣＱＩ値を読み込む。スケジューラは、これらの値を任意の順序で読み込むことができ、図７の例には限定されない。
【００８９】
７０２では、スケジューラは、他のＣｏＭＰ方式の新しいＣＱＩ値を得る。スケジューラは、利用可能な全ＣｏＭＰ方式又はこれらの部分集合を調べて煩雑さを低減してもよい。７０３では、スケジューラは、スケジューリングに用いられる全ＵＥに対し、比例公平（ＰＦ）計算を行う。例えば、ＭＵ−ＭＩＭＯ方式又はＪＴ−ＣｏＭＰ方式が望まれている場合には、スケジューラは、メモリ表（図６）のＣＱＩ値を変更して、信号処理の効果を反映させる。これを、全ＵＥに対しＢＳ毎に共同で行う。７０４では、スケジューラは、ＵＥの部分集合を選択してスケジューリングを行い、スケジューリング基準（例えば、ＰＦ又はＰＦプラスグリーディ等）当たりのＣｏＭＰ方式を選択する。
【００９０】
図８（ａ）は、一例示実施形態に係るシステム図を示す。図８に示す例では、サービングＢＳ１００が、協働ＢＳ２００及びＵＥ３００と協働する。図８の構成は一例であり、本例示実施形態は、に図８に示す構成に限定されない。一当業者であれば、サービングＢＳが複数のＵＥに対し用いられ、システム内には複数の協働ＢＳとともに他のＢＳが存在する可能性を認識するであろう。
【００９１】
ＵＥ３００は、ＲＲＭモジュール３０３と、ＣＳＩ−ＲＳリソース構成初期化モジュール３０４−２と、メモリ３０６と、ＣＱＩ推定モジュール３０７とを用いてもよい。
【００９２】
ＲＲＭモジュール３０３は、サービング基地局１００、協働基地局２００、及びおそらく他の基地局からの無線リソース管理参照信号（ＲＲＭ−ＲＳ）の処理を行い、ＵＥに対しＢＳ毎にリンク利得（例えば、伝搬損失、シャドーイング等）を決定する際に援助を行う。ＲＲＭモジュール３０３は、ＲＲＭ報告を行って、サービング基地局に応答を行ってもよい。この報告を、サービング基地局１００のＣｏＭＰ集合決定モジュール１０４−１が処理する。図１に示すように、ＣｏＭＰ集合決定モジュール１０４−１は、ＵＥから報告されたＲＲＭ測定値に基づいて、どの基地局（又は複数の基地局）を任意のＵＥのＣｏＭＰ集合内に含めるかを決定する。図３（ａ）のフローチャートに示すように、決定されたＣｏＭＰ集合に基づいて、ＣＳＩ−ＲＳリソース構成モジュール１０４−２は、ＣｏＭＰ集合内の全てのＢＳについて、どのＲＥによりＢＳがパイロット信号を送信するかを決定したり、ＢＳに送信動作を行わせないかを決定したり、どのような対応する電力レベルで送信したりするかを決定する。次に、ＣＳＩ−ＲＳリソース構成モジュールが決定した構成に関する情報をＵＥ３００及び協働ＢＳ２００に送信し、この情報をＣＳＩ−ＲＳリソース構成初期化モジュール３０４−２、２０４−２が処理する。
【００９３】
サービングＢＳ１００は、ＣＳＩ−ＲＳ信号生成モジュール１０４−３からのＣＳＩ−ＲＳを、サービングＢＳ１００に対応付けられたＵＥに送信する。ＵＥ３００は受信したＣＳＩ−ＲＳを処理し、ＣＱＩ推定モジュール３０７が受信したＣＳＩ−ＲＳに基づいて、サービングＢＳ１００に対するＣＱＩを推定する。ＵＥ３００は、協働ＢＳ２００等の他の基地局から受信したＣＳＩ−ＲＳによりＣＱＩを推定してもよい。ＵＥ３００は次に、推定したＣＱＩ値の報告をサービングＢＳ１００に転送し、サービングＢＳ１００がこれらの値をメモリ１０６に保存する。受信した値に基づいて、図５のフローチャートに示すように、サービングＢＳ１００はＣＱＩ補間モジュール１０４−４を用いて、ＵＥの報告になかった構成に対しＣＱＩ値を補間し、これらの値をメモリに保存する。補間・保存したＣＱＩ値に基づいて、サービングＢＳは、ＣｏＭＰスケジューラモジュール１０８を用いて、ＣｏＭＰ方式及びスケジュールを決定し、迂回中継路８００を介して他のＢＳ（例えば、協働ＢＳ２００）に送信してもよい。
【００９４】
図８（ｂ）は、一例示実施形態に係るシステム図を示す。図８（ｂ）の例は、ＣＳＩ−ＲＳのみを送信するのではなく、パイロット信号を送信するように構成されたモジュールを有する図８（ａ）と同じである。図８（ｂ）に示す例では、サービングＢＳ１００が、協働ＢＳ２００及びＵＥ３００と相互に作用する。図８（ｂ）の構成は一例であり、本例示実施形態は、図８（ｂ）に示す構成に限定されない。一当業者であれば、サービングＢＳが複数のＵＥに対し用いられ、システム内には複数の協働ＢＳとともに他のＢＳが存在する可能性を認識するであろう。
【００９５】
ＵＥ３００は、ＲＲＭモジュール３０３と、パイロット信号構成初期化モジュール３０４−２ａと、メモリ３０６と、ＣＱＩ推定モジュール３０７とを用いてもよい。
ＲＲＭモジュール３０３は、サービング基地局１００、協働基地局２００、及びおそらく他の基地局からの無線リソース管理参照信号（ＲＲＭ−ＲＳ）の処理を行い、ＵＥに対しＢＳ毎にリンク利得（例えば、伝搬損失、シャドーイング等）を決定する際に援助を行う。ＲＲＭモジュール３０３はＲＲＭ報告を行って、サービング基地局に応答を行ってもよい。この報告を、サービング基地局１００のＣｏＭＰ集合決定モジュール１０４−１が処理する。図１（ｂ）に示すように、ＣｏＭＰ集合決定モジュール１０４−１は、ＵＥから報告されたＲＲＭ測定値に基づいて、どの基地局（又は複数の基地局）を任意のＵＥのＣｏＭＰ集合内に含めるかを決定する。決定されたＣｏＭＰ集合に基づいて、図３（ｂ）乃至図３（ｄ）のフローチャートに示すように、パイロット信号構成モジュール１０４−２は、ＣｏＭＰ集合内の全てのＢＳについて、どのＲＥによりＢＳがパイロット信号を送信するかを決定したり、ＢＳの送信動作を行わせないかを決定したり、どのような対応する電力レベルで送信したりするかを決定する。次に、パイロット信号構成モジュールが決定した構成に関する情報をＵＥ３００及び協働ＢＳ２００送信し、パイロット信号構成初期化モジュール３０４−２ａ、２０４−２ａがこの情報を処理する。
【００９６】
サービングＢＳ１００は、パイロット信号生成モジュール１０４−３ａからのパイロット信号を、サービングＢＳ１００に対応付けられたＵＥに送信する。ＵＥ３００は、受信したパイロット信号の処理を行い、ＣＱＩ推定モジュール３０７が受信したパイロット信号に基づいて、サービングＢＳ１００に対するＣＱＩを推定する。ＵＥ３００は、協働ＢＳ２００等の他の基地局から受信したパイロット信号によりＣＱＩを推定してもよい。ＵＥ３００は次に、推定したＣＱＩ値の報告をサービングＢＳ１００に転送し、サービングＢＳ１００がこれらの値をメモリ１０６に保存する。図５のフローチャートに示すように、受信した値に基づいて、サービングＢＳ１００はＣＱＩ補間モジュール１０４−４を用いて、ＵＥの報告になかった構成に対しＣＱＩ値を補間し、これらの値をメモリに保存する。補間・保存したＣＱＩ値に基づいて、サービングＢＳは、ＣｏＭＰスケジューラモジュール１０８を用いて、ＣｏＭＰ方式及びスケジュールを決定し、迂回中継路８００を介して他のＢＳ（例えば、協働ＢＳ２００）に送信してもよい。
【００９７】
図９（ａ）は、一例示実施形態に係るパイロット信号の送信に対するリソースエレメントスケジュールの一実施例（図１（ａ）、３（ａ）、及び図４（ａ）に示すＣＳＩ−ＲＳのみ）を示す。図４（ａ）を参照すると、ＢＳ１がＣＳＩ−ＲＳ１を送信すると、ＢＳ１は信号として扱われ、ＢＳ２及びＢＳ３は干渉として作用する。ＢＳ２が送信すると、ＢＳ２は信号として扱われ、ＢＳ３は干渉として作用し、ＢＳ１の送信動作を行わせない。ＢＳ３が送信する時は、ＢＳ１及びＢＳ２の送信動作を行わせない。この例から、集合Ｓ１＝｛ＢＳ１、ＢＳ２、ＢＳ３｝、集合Ｓ２＝｛ＢＳ２、ＢＳ３｝、及び集合Ｓ３＝｛ＢＳ３｝となる。集合Ｓｋでは、ＢＳｋが信号となるＢＳで、残りのＢＳが干渉物となる。図９（ａ）に示す一例では、サービングＢＳ１は、周波数及び時間に関するリソースエレメントスケジュールにより、ＣＳＩ−ＲＳを送信するようにＢＳ２及びＢＳ３を構成する。スケジュールにより、特定のリソースエレメントのデータ及び他のリソースエレメントのＣＳＩ−ＲＳを送信するようにＢＳに命令してもよい。３つのＣＳＩ−ＲＳリソース内のＵＥの受信信号は、以下の式で表される。
【００９８】
【数１８】
2013236369.tif 000020
【００９９】
【数１９】
2013236369.tif 000021
【０１００】
【数２０】
2013236369.tif 000022
【０１０１】
受信信号に基づいて、ＵＥは次に、チャネルを推定してもよい。
【０１０２】
【数２１】
2013236369.tif 000023
【０１０３】
【数２２】
2013236369.tif 000024
【０１０４】
【数２３】
2013236369.tif 000025
【０１０５】
他の基地局からの干渉しているＣＳＩ−ＲＳ信号により、チャネルを推定する際にエラ−が発生することがある。これらの値から、ＵＥは以下の干渉測定値を推定する。
【０１０６】
【数２４】
2013236369.tif 000026
【０１０７】
【数２５】
2013236369.tif 000027
【０１０８】
【数２６】
2013236369.tif 000028
【０１０９】
推定した干渉はＣＳＩ−ＲＳ信号を送信しているその他のＢＳによるものと考えられ、データ送信に起因する干渉とは異なるものであると考えられる。従って、ＣＳＩ−ＲＳのみを用いることによる信号送信オーバーヘッドはＣＳＩ−ＲＳ及びＩＭＲの組み合わせの信号送信オーバーヘッドより低いものの、ＣＳＩ−ＲＳを用いることによる干渉を見積もる際の誤差があると考えられる。これらの値から、ＵＥは以下のＣＱＩを推定する。
【０１１０】
【数２７】
2013236369.tif 000029
【０１１１】
【数２８】
2013236369.tif 000030
【０１１２】
【数２９】
2013236369.tif 000031
【０１１３】
図９（ｂ）は、一例示実施形態に係るパイロット信号の送信に対するリソースエレメントスケジュールの一実施例（図１（ｂ）、図３（ｂ）乃至図３（ｄ）及び図４（ｂ）に示すようなＣＳＩ−ＲＳ又はＩＭＲ）を示す。図４（ｂ）の例を参照すると、ＢＳｋがＣＳＩ−ＲＳｋを送信する時は、他のＢＳの送信動作を行わせない。図４（ｂ）の例から、ネットワークは、以下のようなＮ＝３個のＣＳＩ−ＲＳ信号を構成する。
【０１１４】
【数３０】
2013236369.tif 000032
【０１１５】
【数３１】
2013236369.tif 000033
【０１１６】
【数３２】
2013236369.tif 000034
【０１１７】
受信信号から、ＵＥはチャネルＨ１、Ｈ２及びＨ３を推定する。
【０１１８】
【数３３】
2013236369.tif 000035
【０１１９】
【数３４】
2013236369.tif 000036
【０１２０】
【数３５】
2013236369.tif 000037
【０１２１】
2013236369.tif 000038
【０１２２】
ここで、ネットワークでは、Ｎ＝３個のＩＭＲを構成する。実際のデータ送信中、ＢＳ１が信号となる場合は、ＢＳ２及びＢＳ３が干渉として作用する。実際のデータ送信中、ＢＳ２が送信すると、ＢＳ３のみが干渉として作用して、ＢＳ１の送信動作を行わせない。ＢＳ３が送信する時は、ＢＳ１及びＢＳ２の送信動作を行わせない。従って、集合Ｓ１＝｛ＢＳ２、ＢＳ３｝、集合Ｓ２＝｛ＢＳ３｝及び集合Ｓ３＝｛ヌル｝となる。３つのＩＭＲ内のＵＥの受信信号は、以下の式で表される。
【０１２３】
【数３６】
2013236369.tif 000039
【０１２４】
【数３７】
2013236369.tif 000040
【０１２５】
【数３８】
2013236369.tif 000041
【０１２６】
実際のデータ干渉を直接測定するので、パイロット信号利用による干渉の推定は、ＣＳＩ−ＲＳのみを用いることよりも向上させることができる。Ｎはｚの測定した電力であるとすると、ＣｏＭＰ集合外の干渉プラス雑音となる。これらのことから、ＵＥは以下のＣＱＩを決定することができる。
【０１２７】
【数３９】
2013236369.tif 000042
【０１２８】
【数４０】
2013236369.tif 000043
【０１２９】
【数４１】
2013236369.tif 000044
【０１３０】
従って、ＣＱＩを推定することを向上させることができる。
【０１３１】
図１０は、一例示実施形態を実施するシステム内の各基地局に対する例示のリソースエレメントスケジュールである。
【０１３２】
図４（ａ）及び図４（ｂ）を参照すると、リソースエレメントスケジュールを、一例示実施形態に係るサービング基地局と協働基地局向けに備えることができる。図９（ａ）及び図９（ｂ）を参照すると、基地局は、ＩＭＲ又はＣＳＩ−ＲＳを含まないリソースエレメントのデータ信号を送信することができる。基地局をパイロット信号を送信するように構成すると、例示のシステムは、任意のリソースエレメントのパイロットがＣＳＩ−ＲＳとＩＭＲのどちらになるのかを決定することができる。リソースエレメントがＣＳＩ−ＲＳとして示された場合は、それにより、ＣｏＭＰ集合内のその他の基地局の送信動作を行わせないようになるので、チャネルを推定できるようになる。リソースエレメントがＩＭＲの場合は、より強度の高い信号強度の基地局の送信動作を行わせないようにし、信号強度が低い基地局は、継続してデータ信号を送信する。
【０１３３】
図１１は、一例示実施形態に係る基地局の一例のハードウェア構成を示す。
【０１３４】
基地局９００は、トランシーバモジュール９０１と、ベースバンド信号処理モジュール９０２と、図１及び図２に記載のモジュールを動作させる１以上のアナログ・デジタル／デジタル・アナログ変換器９０４とを用いてもよい。トランシーバモジュール９０１は、基地局９００を相手に送受信を行うトランスミッタ９０１−１とレシーバ９０１−２とを備えることもできる。トランシーバモジュール９０１は、ハードウェア構成として、無線周波数（Ｒ／Ｆ）フロントエンドの形態をとることもできる。
【０１３５】
ベースバンド信号処理モジュール９０２は、中央処理装置（ＣＰＵ）９０２−１とメモリ９０２−２とを備えることもできる。
【０１３６】
１以上のインターフェース９０３を介した、１以上のアナログ・デジタル／デジタル・アナログ変換器９０４により、トランシーバモジュール９０１とベースバンド信号処理モジュール９０２との間の信号を処理してもよい。
【０１３７】
この例示ハードウェア構成は、図１に示すサービング基地局１００及び図２に示す協働基地局２００のいずれにも用いることができる。例えば、ＣＰＵ９０２−１とメモリ９０２−２とを備えるベースバンド信号処理モジュール９０２を用いて、図１及び図２に示すように、ＣｏＭＰモジュール１０４、２０４とともにＣｏＭＰスケジューラモジュール１０８、２０８及びＲＲＭモジュール１０３、２０３等の各種のモジュールを処理することができる。迂回中継路モジュール１０７、２０７を介する通信は、ベースバンド信号処理モジュール９０２を介しても行うことができ、迂回中継路を介する通信を容易にすることができる。
【０１３８】
同様のＴｘモジュール１０１、２０１とＲｘモジュール１０２、２０２とを、無線周波数（Ｒ／Ｆ）フロントエンドの形態をとるトランシーバモジュール９０１として実施することもできる。トランスミッタ９０１−１及びレシーバ９０２−２の各種のハードウェア構成を用いて、ＵＥとの通信を容易にすることができる。また、基地局９００の構成は、無線周波数フロントエンドに限られない。一当業者であれば、基地局とＵＥとの間の通信を容易にするのに必要ないずれのタイプの物理的フロントエンドを実施することもできるであろう。
【０１３９】
最後に、詳細な説明のいくつかの部分を、コンピュータ内での演算に関するアルゴリズム及び記号表現について提示す。これらのアルゴリズムの説明及び記号表現は、データ処理分野の当業者が、他の当業者に発明の本質を非常に効果的に伝える手段である。アルゴリズムは、所望の目的の状態又は結果を導く一連の確定したステップである。本例示実施形態では、実行されたステップは、実質的な結果を達成するために具体的な量の物理的操作を必要とする。
【０１４０】
特に別途記載のない限り、説明からわかるように、全説明を通して以下のことがわかる。“処理”、“演算”、“計算”、“決定”、“表示”等の用語を用いる説明では、コンピュータシステムのレジスタやメモリ内で物理的（電子）量として表されるデータを操作し、コンピュータシステムのメモリ又はレジスタ又は他の情報記憶装置、送信装置又は表示装置内で同様に物理的量として表される他のデータとして変換するコンピュータシステム又は他の情報処理装置の動作及び処理を含むことができる。
【０１４１】
本例示実施形態はまた、本明細書の動作を実行する装置に関する。この装置は、要求される目的に適するように特に構成することもできるし、選択的に作動される１以上の汎用コンピュータ、又は、１以上のコンピュータプログラムにより再構成される１以上の汎用コンピュータを備えることもできる。このようなコンピュータプログラムは、光ディスク、磁気ディスク、リードオンリーメモリ、ランダムアクセスメモリ、ソリッドステートデバイス及び駆動装置等のコンピュータ読取り可能記憶装置媒体、又は電子情報の保存に適した他の形式の媒体（それに限定されない）に保存できる。ここで述べられるアルゴリズム及び表示装置は、いずれの特定のコンピュータ又は他の装置に元来関連づけられるものではない。
【０１４２】
ここでの本発明の内容に基づくプログラム及びモジュールとともに各種の汎用システムを用いてもよいし、より専門的な装置を構成して所望の方法ステップを実行する利便性を証明してもよい。また本発明は、特定のプログラム言語を参照した説明を行っていない。様々なプログラム言語を用いて、ここに記載の本発明の内容を実行することもできることが理解されるであろう。１又は複数のプログラム言語の命令を、例えば、中央処理装置（ＣＰＵ）、プロセッサ、又は制御装置等の、１以上の処理装置により実行してもよい。
【０１４３】
本技術でわかるように、上記の動作は、ハードウェア、ソフトウェア、又はソフトウェア及びハードウェアの組み合わせのいくつかにより、実行することができる。本発明の例示実施形態に関する様々な面を、回路及び論理装置（ハードウェア）を用いて実施することもできるし、他の面については、非一時的コンピュータ読取り可能媒体上に保存した命令を用いて実施することもでき、プロセッサで実行する場合は、プロセッサに、各種の例示実施形態を実施する方法を行わせるであろう。また、例示実施形態のいくつかについては、ハードウェアで単独で実行することもできるし、他の例示実施形態については、ソフトウェアで単独で実行することもできる。さらに、説明した各種の機能について、１つの装置で実行することもできるし、いくつものやり方で多数の構成要素に展開して実行することもできる。ソフトウェアで実行する場合は、これらの方法は、コンピュータ読取り可能媒体上に保存した命令に基づいて、汎用コンピュータ等のプロセッサにより実行してもよい。所望の場合には、命令を、圧縮フォーマット及び／又は暗号化フォーマットで媒体に保存することができる。
【０１４４】
さらに、明細書の考察と、本明細書で開示した本発明の実践から、本例示実施形態の他の利用が当業者には明らかになるであろう。説明した例示実施形態に関する各種の面、各種の構成要素、又は各種の構成要素及び各種の面について、単独で、あるいはいくつかを組み合わせて用いることもできる。明細書及び実施例は、以下の請求項で表される本例示実施形態の真の範囲及び精神を有する、単なる一例に過ぎない。
【符号の説明】
【０１４５】
１００…サービングＢＳ、１０１…トランシーバ（Ｔｘ）モジュール、１０２…レシーバ（Ｒｘ）モジュール、１０３…無線リソ−ス管理（ＲＲＭ）モジュール、１０４…ＣｏＭＰモジュール、１０５…ＣＰＵ、１０６…メモリ、１０７…迂回中継路モジュール、１０８…ＣｏＭＰスケジューラモジュール、２００…協働基地局、２０４…ＣｏＭＰモジュール
【図１（ａ）】
2013236369.tif 000047
【図１（ｂ）】
2013236369.tif 000048
【図２（ａ）】
2013236369.tif 000049
【図２（ｂ）】
2013236369.tif 000050
【図３（ａ）】
2013236369.tif 000051
【図３（ｂ）】
2013236369.tif 000052
【図３（ｃ）】
2013236369.tif 000053
【図３（ｄ）】
2013236369.tif 000054
【図４（ａ）】
2013236369.tif 000055
【図４（ｂ）】
2013236369.tif 000056
【図５】
2013236369.tif 000057
【図６】
2013236369.tif 000058
【図７】
2013236369.tif 000059
【図８（ａ）】
2013236369.tif 000060
【図８（ｂ）】
2013236369.tif 000061
【図９（ａ）】
2013236369.tif 000062
【図９（ｂ）】
2013236369.tif 000063
【図１０】
2013236369.tif 000064
【図１１】
2013236369.tif 000065
【外国語明細書】
2013236369000001.pdf